(57)【特許請求の範囲】
【請求項１】
シャッタ羽根に連結した駆動ピンを有していてシャッタ地板に立設された軸に回転可能に取り付けられている第１駆動部材と、前記軸に回転可能に取り付けられていて撮影時にはセット位置から駆動源の付勢力によって前記第１駆動部材を押して回転し前記シャッタ羽根に露光開口を閉じさせる第２駆動部材と、前記駆動源の付勢力よりも弱い付勢力を有していて前記第２駆動部材がセット位置へ回転させられるときはそれに追従して前記第１駆動部材をセット位置へ回転させ露光開口を全開にさせるセットばねと、前記シャッタ地板に取り付けられていて撮影時に前記シャッタ羽根が露光開口を閉鎖した後に前記第２駆動部材が当接する第１緩衝部材と、前記シャッタ地板に取り付けられていて撮影時に前記第２駆動部材が前記第１緩衝部材に当接した直後に前記第１駆動部材が当接する第２緩衝部材と、を備えていて、前記第２駆動部材が先に前記第１緩衝部材に当接してバウンドし、その後前記第１緩衝部材方向への作動時に、後から前記第２緩衝部材に当接してバウンドしてくる前記第１駆動部材を押し戻すように構成した、カメラ用フォーカルプレンシャッタ。
【請求項２】
撮影時に一方のシャッタ羽根をセット位置から走行させて露光開口を開かせる第１駆動手段と、撮影時に他方のシャッタ羽根をセット位置から走行させて露光開口を閉じさせる第２駆動手段と、を備えていて、前記二つの駆動手段のうち少なくとも一つは、前記シャッタ羽根に連結した駆動ピンを有していてシャッタ地板に立設された軸に回転可能に取り付けられている第１駆動部材と、前記軸に回転可能に取り付けられていて撮影時にはセット位置から駆動源の付勢力によって前記第１駆動部材を押して回転し前記シャッタ羽根を走行させる第２駆動部材と、前記駆動源の付勢力よりも弱い付勢力を有していて前記第２駆動部材がセット位置へ回転させられるときはそれに追従して前記第１駆動部材をセット位置へ回転させるセットばねと、を有しており、前記シャッタ地板には、前記シャッタ羽根の撮影時における走行終了段階で、前記第２駆動部材が当接する第１緩衝部材と、前記第２駆動部材が前記第１緩衝部材に当接した直後に前記第１駆動部材が当接する第２緩衝部材と、を取り付けていて、前記第２駆動部材が先に前記第１緩衝部材に当接してバウンドし、その後前記第１緩衝部材方向への作動時に、後から前記第２緩衝部材に当接してバウンドしてくる前記第１駆動部材を押し戻すように構成した、カメラ用フォーカルプレンシャッタ。
【発明の詳細な説明】
【技術分野】
【０００１】
本発明は、シャッタ羽根を一つ又は二つ備えているカメラ用フォーカルプレンシャッタに関する。
【背景技術】
【０００２】
カメラ用フォーカルプレンシャッタの中には、少なくとも１枚の羽根を複数のアームに枢支した構成のシャッタ羽根を一つだけ備えているものと、二つ備えているものとが知られているが、シャッタ羽根を一つだけ備えているものは、デジタルカメラにのみ採用可能であって、撮影待機状態と撮影中には、露光開口を全開にしており、撮影の終了時には、駆動部材によって走行させられ、露光開口を閉じるようにしたものである。従って、このような構成をしたものを採用したカメラは、撮影用の撮像素子を、撮影直前の被写体をモニターで観察するための撮像素子に兼用させることが可能になっている。
【０００３】
また、シャッタ羽根を二つ備えたものは、それらのシャッタ羽根の一方を先羽根（群）、他方を後羽根（群）と言っていて、フィルムを用いるカメラにもデジタルカメラにも採用可能な構成をしたものと、デジタルカメラにだけ採用可能な構成をしたものとが知られている。そして、前者の構成をしたものは、デジタルカメラに採用する場合には、後者の構成をしたものと区別するために、ノーマリークローズ方式のフォーカルプレンシャッタなどと言われており、後者の構成をしたものは、ノーマリーオープン方式のフォーカルプレンシャッタなどと言われている。
【０００４】
そして、前者の構成をしたものは、下記の特許文献１にも記載されているように、先羽根（群）を作動させる先羽根用駆動部材と、後羽根（群）を作動させる後羽根用駆動部材とを備えており、撮影待機状態のときは、先羽根（群）によって露光開口を閉じており、撮影時には、先羽根（群）と後羽根（群）を順に走行させ、撮影後には、露光開口を開くことなく、撮影待機状態に復帰させるようにしたものである。従って、このように構成したものを採用したカメラは、光学式のファインダが必要になるか、撮影前の被写体をモニターで観察するための専用の撮像素子が必要になる。
【０００５】
他方、後者の構成をしたものは、下記の特許文献２などに記載されているように、上記の先羽根用駆動部材を、先羽根（群）を連結した先羽根用第１駆動部材と、撮影時には先羽根用第１駆動部材を押して先羽根（群）を走行させる先羽根用第２駆動部材とで構成していて、撮影待機状態のときは、露光開口を全開にしており、撮影に際しては、先ず、先羽根（群）によって露光開口を閉じた状態にしておいてから、先羽根（群）と後羽根（群）を順に走行させ、撮影後には、後羽根（群）だけを復帰作動させることにより、撮影待機状態にさせるものである。従って、このように構成したものを採用したカメラは、撮影用の撮像素子を、撮影前の被写体をモニターで観察するための撮像素子に兼用させることが可能になる。
【０００６】
そして、これらのように構成されているフォーカルプレンシャッタのシャッタ羽根は、撮影時においては、高速で走行させられるため、何らかの手段を講じておかないと、ストッパに当接して停止させられるとき、破壊されたり、大きくバウンドさせられたりしてしまう。そして、大きくバウンドさせられた場合には、周知のように、露光むらやスミアを発生させる要因になるほか、セット作動を行うタイミングを遅くせざるを得ず、次の撮影を行える時機が遅れてしまう要因にもなってしまう。
【０００７】
そのため、従来から、上記のようなバウンドを抑制するために、種々の手段が提案されていて、それらの一部は実施されているが、特許文献１には、先羽根（群）の走行停止時において、先ず、先羽根用駆動部材の駆動ピンを第１の緩衝部材に当接させ、次に先羽根（群）のアームの一つを第２の緩衝部材に当接させ、その次に、先羽根（群）の羽根を第３の緩衝部材に当接させるようにした構成が記載されているほか、後羽根用駆動部材や後羽根（群）についても、夫々の緩衝部材に当接させるようにした構成が記載されている。本発明は、それらのように、撮影時におけるシャッタ羽根の走行終了時において、シャッタ羽根のバウンドを好適に抑制できるようにした、カメラ用フォーカルプレンシャッタに関するものである。
【先行技術文献】
【特許文献】
【０００８】
【特許文献１】特開２００１−２１９４２号公報
【特許文献２】特開２００７−２９８５４４号公報
【発明の概要】
【発明が解決しようとする課題】
【０００９】
従来から、シャッタ羽根のバウンドを抑制するために、特許文献１にも記載されているように、駆動部材やシャッタ羽根を、緩衝部材に当接させ停止させるようにした構成が数多く知られている。しかしながら、シャッタ羽根のバウンドを抑制するためには、先ずは、強力な駆動源によって直接回転させられる駆動部材のバウンドを抑制するのが一番効果的であり、それによって、必然的に、シャッタ羽根のバウンドも抑制し易くなる。
【００１０】
ところが、駆動部材を緩衝部材に当接させるようにした従来の構成としては、幾つかの提案がなされているとはいうものの、実際には、特許文献１，２に記載されているように、駆動部材に設けられた駆動ピンを、単に緩衝部材に当接させるようにしたものだけが実施されている。また、駆動ピンが緩衝部材に当接する直前に、駆動ピンを有している駆動部材の回転を、種々の手段によって制動するようにしたものも提案されているが、実際に実施されたものは知られていない。そのため、シャッタ羽根に連結した駆動ピンを有していている駆動部材のバウンドを、従来よりも好適に抑制することの可能なカメラ用フォーカルプレンシャッタの実現が要望されている。
【００１１】
本発明は、このような問題点を解決するためになされたものであり、その目的とするところは、シャッタ羽根に連結させた駆動ピンを有していて、シャッタ地板に対して回転可能に取り付けられている駆動部材のバウンドを、従来よりも好適に抑制することを可能にしたカメラ用フォーカルプレンシャッタを提供することである。
【課題を解決するための手段】
【００１２】
上記の目的を達成するために、本発明のカメラ用フォーカルプレンシャッタは、シャッタ羽根に連結した駆動ピンを有していてシャッタ地板に立設された軸に回転可能に取り付けられている第１駆動部材と、前記軸に回転可能に取り付けられていて撮影時にはセット位置から駆動源の付勢力によって前記第１駆動部材を押して回転し前記シャッタ羽根に露光開口を閉じさせる第２駆動部材と、前記駆動源の付勢力よりも弱い付勢力を有していて前記第２駆動部材がセット位置へ回転させられるときはそれに追従して前記第１駆動部材をセット位置へ回転させ露光開口を全開にさせるセットばねと、前記シャッタ地板に取り付けられていて撮影時に前記シャッタ羽根が露光開口を閉鎖した後に前記第２駆動部材が当接する第１緩衝部材と、前記シャッタ地板に取り付けられていて撮影時に前記第２駆動部材が前記第１緩衝部材に当接した直後に前記第１駆動部材が当接する第２緩衝部材と、を備えていて、前記第１駆動部材が、前記第２緩衝部材に当接してバウンドしたとき、先にバウンドして再び第１緩衝部材に向けて作動中の前記第２駆動部材に当接し得るようにする。
【００１３】
また、上記の目的を達成するために、本発明のカメラ用フォーカルプレンシャッタは、撮影時に一方のシャッタ羽根をセット位置から走行させて露光開口を開かせる第１駆動手段と、撮影時に他方のシャッタ羽根をセット位置から走行させて露光開口を閉じさせる第２駆動手段と、を備えていて、前記二つの駆動手段のうち少なくとも一方は、前記シャッタ羽根に連結した駆動ピンを有していてシャッタ地板に立設された軸に回転可能に取り付けられている第１駆動部材と、前記軸に回転可能に取り付けられていて撮影時にはセット位置から駆動源の付勢力によって前記第１駆動部材を押して回転し前記シャッタ羽根を走行させる第２駆動部材と、前記駆動源の付勢力よりも弱い付勢力を有していて前記第２駆動部材がセット位置へ回転させられるときはそれに追従して前記第１駆動部材をセット位置へ回転させるセットばねと、を有しており、前記シャッタ地板には、前記シャッタ羽根の撮影時における走行終了段階で、前記第２駆動部材が当接する第１緩衝部材と、前記第２駆動部材が前記第１緩衝部材に当接した直後に前記第１駆動部材が当接する第２緩衝部材と、を取り付けていて、前記第１駆動部材が、前記第２緩衝部材に当接してバウンドしたとき、先にバウンドして再び第１緩衝部材に向けて作動中の前記第２駆動部材に当接し得るようにする。
【発明の効果】
【００１４】
本発明は、シャッタ羽根を往復作動させるための従来の駆動部材を、シャッタ羽根に連結した駆動ピンを有していてシャッタ地板に立設された軸に回転可能に取り付けられている第１駆動部材と、その第１駆動部材と同軸上に回転可能に取り付けられていて撮影時にはセット位置から駆動源の付勢力によって第１駆動部材を押して回転しシャッタ羽根を走行させる第２駆動部材とで構成すると共に、シャッタ地板には、シャッタ羽根の撮影時における走行終了段階において、第２駆動部材が当接する第１緩衝部材と、第２駆動部材が第１緩衝部材に当接した直後に第１駆動部材が当接する第２緩衝部材とを取り付けるようにしたものであるから、第１駆動部材が、第２緩衝部材に当接してバウンドしたとき、先にバウンドして再び第１緩衝部材に向けて作動中の第２駆動部材に当接し得るようになり、第１駆動部材のバウンドが好適に抑制されるという利点がある。
【図面の簡単な説明】
【００１５】
【図１】撮影待機状態における左側約半分を示した実施例１の平面図である。
【図２】撮影終了状態を図１と同様にして示した実施例１の平面図である。
【図３】撮影待機状態を示した実施例２の平面図である。
【図４】撮影終了状態における図３の左側約半分を示した平面図である。
【発明を実施するための形態】
【００１６】
本発明の実施の形態を、図示した二つの実施例によって説明する。尚、周知のように、カメラ用フォーカルプレンシャッタには、撮影開始直前の状態において駆動部材を作動開始位置に保持しておくための構成の違いによって、ダイレクトタイプと言われているものと、係止タイプと言われているものがある。本発明は、それらのいずれにも適用できるものであるが、二つの実施例は、いずれも、ダイレクトタイプのフォーカルプレンシャッタとして構成したものである。そして、図面は、図１及び図２が実施例１を説明するためのものであり、図３及び図４が実施例２を説明するためのものである。
【実施例１】
【００１７】
本実施例は、シャッタ羽根を一つだけ備えたカメラ用フォーカルプレンシャッタであって、デジタルカメラにだけ採用されるものである。そして、本実施例の説明に用いる図１は、撮影待機状態における左側約半分を示した平面図であり、図２は、撮影終了状態を図１と同様にして示した平面図である。尚、本実施例の説明においては、本実施例のフォーカルプレンシャッタをカメラに組み込んだとき、図１の手前側が被写体側（即ち、撮影レンズ側）であり、図１の背面側が撮像素子側であることを前提にして説明するが、周知のように、実際には、図１の手前側が撮像素子側になり、図１の背面側が被写体側になることもある。
【００１８】
そこで先ず、本実施例の構成を説明する。シャッタ地板１の略中央部には、長方形を横長にした被写体光路用の開口部１ａが形成されているが、図１は、本実施例の左側約半分を示したものであるため、その開口部１ａも左側約半分だけが示されている。また、シャッタ地板１の背面側には、所定の間隔を空けて補助地板２が取り付けられており、両者の間に羽根室を構成している。補助地板２は、シャッタ地板１と類似の外形形状をしていて、開口部１ａと重なるところに、開口部１ａとは一部形状の異なる被写体光路用の開口部２ａを有している。そして、本実施例の場合、露光開口は、開口部１ａの形状によって決められている。
【００１９】
開口部１ａの左上方の領域には、円弧状の長孔１ｂが形成されており、その下方端部には、平面形状が略Ｃ字状をした周知のゴム製の緩衝部材３が取り付けられている。また、図示していないが、補助地板２にも、長孔１ｂと重なるところに、略同じ形状をした長孔が形成されている。
【００２０】
シャッタ地板１の被写体側の面には、軸１ｃ，１ｄが立設され、撮像素子側の面には、軸１ｅ，１ｆが立設されているが、それらのうち、軸１ｃと軸１ｅとは、同心上に立設されている。そして、シャッタ地板１の被写体側に立設されている軸１ｃには、合成樹脂製の第１駆動部材４と第２駆動部材５とが、個々に回転可能に取り付けられ、軸１ｄには、ゴム製の緩衝部材６が取り付けられている。
【００２１】
第１駆動部材４は、第２駆動部材５よりもシャッタ地板１側に配置されていて、細長い形状をしている。この第１駆動部材４の先端には、シャッタ地板１側の面に駆動ピン４ａが設けられているが、その駆動ピン４ａは、上記の長孔１ｂを貫通して、先端を、補助地板２の図示していない長孔に挿入している。また、駆動ピン４ａは、根元側の部位の断面が円形をしており、先端側の部位の断面が砲弾形をしている。それらの部位のうち、根元側の部位は、緩衝部材３に当接する部位であり、先端側の部位は、後述するシャッタ羽根に連結する部位である。他方、駆動ピン４ａと反対側の面には、図面上では分かりにくい平面形状（長方形の一部と円形の一部を組み合わせた形状）をした所定の厚さの被押動部４ｂが形成されている。
【００２２】
第２駆動部材５は、第１駆動部材４よりも被写体側に配置されていて、全体として扇形をしており、シャッタ地板１側の面には、図１の左側の縁に沿って細長い形状の押動部５ａが形成されている。また、第２駆動部材５の被写体側の面には、ローラー５ｂが取り付けられているほか、部厚く形成された取付け部５ｃが設けられている。そして、この第２駆動部材５には、駆動源として、本実施例の場合には、図示していない周知の駆動ばねが掛けられており、撮影時に、駆動ばねの付勢力によって時計方向へ回転させられるとき、その押動部５ａが上記の被押動部４ｂを押し、第１駆動部材４を時計方向へ回転させるようになっている。尚、本実施例の場合には、駆動源として、ばねを用いているが、モータであっても差し支えなく、このことは、下記の実施例２の場合にも言えることである。
【００２３】
第２駆動部材５の取付け部５ｃには、特許文献１，２に記載されているようにして、鉄片部材７が取り付けられている。周知のように、この鉄片部材７は、軸部７ａと、その一端に取り付けられた鉄片部７ｂと、他端に設けられている頭部７ｃからなっており、軸部７ａは、取付け部５ｃ内の孔に対して、軸方向へ移動可能であるとともに、若干傾き得るようにして取り付けられている。また、取付け部５ｃ内には、図示していない圧縮ばねが配置されていて、鉄片部７ｂを取付け部５ｃ内から突き出すように付勢している。そのため、頭部７ｃは、取付け部５ｃからの抜け止めの役目をしていると同時に、鉄片部７ｂの突き出し量を規制する役目もしている。尚、鉄片部７ｂは、図示していない周知の電磁石の鉄芯部材に接触し、吸着される部位である。
【００２４】
次に、羽根室内に配置されているシャッタ羽根の構成と、シャッタ地板１に対する取付け構成を説明する。本実施例のシャッタ羽根は、二つのアーム８，９と、３枚の羽根１０，１１，１２とを有している。そこで先ず、二つのアーム８，９は、シャッタ地板１に立設されている上記の軸１ｅ，１ｆに対して、それらの一端を回転可能にして取り付けられている。また、３枚の羽根１０，１１，１２は、各々周知の二つの連結軸部材を用いて、それらの一端側で、アーム８，９に対して枢支されている。そして、一方のアーム８には、周知の長孔が形成されていて、その長孔に、上記の駆動ピン４ａの先端部が嵌合している。
【００２５】
また、シャッタ地板１の軸１ｆには、セットばね１３が巻かれていて、その一端を、シャッタ地板１に設けられた図示していないばね掛け部に掛け、他端を、アーム９の孔９ａに掛けることによって、アーム９を、ひいてはアーム８及び第１駆動部材４を、反時計方向へ回転するように付勢している。しかしながら、その付勢力は、上記した駆動ばねの付勢力よりは小さい。尚、本実施例のセットばね１３は、このように構成されているが、本発明におけるセットばねは、シャッタ地板１の軸１ｃに巻き付けられ、その一端を、第１駆動部材４に掛け、他端を、第２駆動部材５又はシャッタ地板１に掛けることによって、第１駆動部材４を反時計方向へ回転させるように直接付勢しても差し支えない。そして、このことは、下記の実施例２の場合にも言えることである。
【００２６】
本実施例の場合には、このほかにも、実際には、シャッタ地板１に、セット部材や上記の電磁石などの構成部材が取り付けられているが、それらの部材は周知の構成をしたものであるため、図示が省略されている。尚、このような本実施例の構成は、シャッタ羽根の構成が、下記の実施例２においては、後羽根の構成とし、また、二つの駆動部材４，５、図示していない駆動ばね，セットばね１３などの駆動手段や二つの緩衝部材３，６の構成が、下記の実施例２においては、後羽根の駆動手段の構成として援用される。
【００２７】
次に、本実施例の作動を説明する。図１は、撮影待機状態を示したものである。このとき、開口部１ａは全開となっており、カメラの電源スイッチはオンになっている。そのため、撮像素子には被写体光が当たっていて、撮影対象である被写体（被写界）をモニターで観察することが可能になっている。また、このとき、第２駆動部材５は、図示していないセット部材によってローラー５ｂを押され、図示していない駆動ばねの付勢力に抗して反時計方向へ回転させられており、鉄片部材７の鉄片部７ｂを、図示していない電磁石の鉄芯部材に接触させている。更に、第１駆動部材４は、シャッタ羽根を介して、セットばね１３の付勢力により反時計方向へ回転させられており、その被押動部４ｂを、第２駆動部材５の押動部５ａに接触させている。
【００２８】
この状態において、レリーズボタンを押すと、先ず、図示していない電磁石に通電されて、それまで鉄芯部材に接触していた鉄片部材７が磁気的に吸着保持される。その後、図示していないセット部材は、ローラー５ｂから離れて、第２駆動部材５の作動軌跡外に退き、初期位置で停止する。そうすると、それまで撮像素子に蓄積されていた電荷が放出され、あらたな電荷の蓄積が行われることによって撮影が開始される。
【００２９】
その後、被写体光に対応した所定の時間が経過すると、電磁石に対する通電が断たれるので、第２駆動部材５は、図示していない駆動ばねの付勢力によって、セット位置から時計方向へ回転を開始する。そのとき、第１駆動部材４も、被押動部４ｂを押動部５ａに押されて、セット位置から時計方向へ回転させられるので、セットばね１３の付勢力に抗して、アーム８を時計方向へ回転させる。そのため、３枚の羽根１０〜１２は、図１の格納状態から走行を開始し、相互の重なり量を小さくしながら開口部１ａを閉じていく。
【００３０】
そして、３枚の羽根１０〜１２によって開口部１ａが閉鎖されると、その直後に、先ず、第２駆動部材５のローラー５ｂが緩衝部材６に当接し、続いて、第１駆動部材４の駆動ピン４ａが緩衝部材３に当接する。それによって、二つの駆動部材４，５はタイミングをずらせてバウンドすることになるが、第１駆動部材４がバウンドしたときには、先にバウンドした第２駆動部材５が、図示していない駆動ばねの強い付勢力によって再び緩衝部材６に向けて作動しているときであるため、被押動部４ｂが押動部５ａに当接して直ちに時計方向へ戻され、駆動ピン４ａを緩衝部材３に押し付けさせられる。そのため、第１駆動部材４のバウンドは極めて小さくなり、それによって、シャッタ羽根が、一時的に開口部１ａの一部を開いてしまうようなことがない。
【００３１】
このようにしてシャッタ羽根の静止した状態が図２に示された状態である。この状態で、撮像素子に蓄積された電荷が撮像情報として転送され、記憶装置に記憶されると、周知のように、図示していないセット部材が初期位置から回転させられ、ローラー５ｂを押して、第２駆動部材５を、図示していない駆動ばねの付勢力に抗して反時計方向へ回転させていく。また、それによって、第１駆動部材４も、セットばね１３の付勢力によって、被押動部４ｂが押動部５ａに追従し、反時計方向へ回転させられていくので、３枚の羽根１０〜１２は、相互の重なり量を大きくしながら開口部１ａを下方から開いていく。
【００３２】
そして、３枚の羽根１０〜１２が開口部１ａを全開にすると、その直後に鉄片部材７の鉄片部７ｂが、図示していない電磁石の鉄芯部材に接触するようになり、その時点で、図示していないセット部材の回転も停止し、図１に示された撮影待機状態に復帰する。尚、上記の説明からも分かるように、本実施例の場合には、第２駆動部材５に取り付けられているローラー５ｂが、緩衝部材６に当接する当接部と、セット部材によって押される被押動部とを兼ねている。しかしながら、下記の実施例２からも分かるように、第２駆動部材５に、緩衝部材６に当接させる専用の部位を設けるようにしても構わない。
【実施例２】
【００３３】
次に、図３及び図４を用いて、実施例２を説明する。本実施例は、シャッタ羽根を二つ備えたカメラ用フォーカルプレンシャッタであって、フィルムを用いるカメラにも、デジタルカメラにも採用することができる、いわゆるノーマリークローズ式のフォーカルプレンシャッタである。しかしながら、その構成を一部変形させることによって、ノーマリーオープン式のフォーカルプレンシャッタとすることも可能であるが、そのことについては、本実施例の説明後に簡単に述べることにする。そして、本実施例の説明に用いる図３は、撮影待機状態を示した平面図であり、図４は、撮影終了状態を左側約半分だけ示した平面図であるが、本実施例の場合にも、それらの図面の手前側が被写体側であり、背面側が撮像素子側であることを前提にして説明する。
【００３４】
尚、シャッタ羽根を二つ備えている場合には、特許文献１，２に記載されているように、それらを区別するために、先羽根（先羽根群），後羽根（後羽根群）などと称しているが、本実施例の説明に際しては、それらを先羽根，後羽根ということにする。また、図３及び図４には、先羽根系の構成だけが記載されているが、後羽根系の構成は、実施例１の構成と全く同じであるため、既に説明したように、実施例１の構成を援用することにし、干渉部材３，６については図示してあるが、後羽根の駆動手段の図示を省略してある。そのため、後羽根系は、図３の状態においては、上記の図１の状態になっており、図４の状態においては、図２の状態になって、後羽根の３枚の羽根１０〜１２は開口部１ａを閉鎖していることになる。
【００３５】
そこで、本実施例の全体構成と、先羽根系の構成について説明する。先ず、本実施例においては、シャッタ地板１と補助地板２との間に、周知の手段によって中間板１４が取り付けられていて、シャッタ地板１と中間板１４の間を先羽根の羽根室とし、中間板１４と補助地板２の間を後羽根の羽根室としている。そのため、実施例１で説明したシャッタ羽根は、中間板１４と補助地板２との間の羽根室に配置されていることになる。そして、その中間板１４にも、開口部１ａと重なるところに被写体光路用の開口部１４ａが形成されているが、本実施例の場合にも、開口部１ａが露光開口の形状を決めている。尚、図３においては、シャッタ地板１の右上方の領域を破断して示している。
【００３６】
シャッタ地板１には、上記の実施例１における円弧状の長孔１ｂのほかに、開口部１ａの左下方の領域に、円弧状の長孔１ｇが形成されており、その下方端部には、平面形状が略Ｃ字状をした周知のゴム製の緩衝部材１５が取り付けられている。また、図示していないが、補助地板２にも、長孔１ｇと重なるところに、略同じ形状をした長孔が形成されている。
【００３７】
シャッタ地板１の被写体側の面には、軸１ｈ，１ｉが立設され、撮像素子側の面には、軸１ｊ，１ｋが立設されているが、それらのうち、軸１ｈと軸１ｊとは、同心上に立設されている。そして、シャッタ地板１の被写体側に立設されている軸１ｈには、いずれも合成樹脂製の第１駆動部材１６と第２駆動部材１７とが、個々に回転可能に取り付けられており、また、軸１ｉには、ゴム製の緩衝部材１８が取り付けられている。
【００３８】
第１駆動部材１６は、軸１ｈに対して、第２駆動部材１７よりもシャッタ地板１側に取り付けられていて、その先端には、シャッタ地板１側の面に駆動ピン１６ａが設けられている。そして、その駆動ピン１６ａは、円弧状の長孔１ｇを貫通して、先端を、補助地板２の図示していない長孔に挿入している。また、この駆動ピン１６ａは、根元側の部位の断面が円形をしており、先端側の部位の断面が砲弾形をしているが、根元側の部位は、緩衝部材１５に当接する部位であり、先端側の部位は、後述する先羽根に連結する部位である。他方、駆動ピン１６ａが設けられている面の反対側の面には、被押動部１６ｂが所定の厚さで形成されている。
【００３９】
第２駆動部材１７は、第１駆動部材１６よりも被写体側に配置されており、押動部１７ａと、被押動部１７ｂと、被写体側に分厚く形成された取付け部１７ｃと、当接部１７ｄとが設けられている。そして、この第２駆動部材１７には、駆動源として、図示していない周知の駆動ばねが掛けられており、撮影時に、その駆動ばねの付勢力によって時計方向へ回転させられるとき、押動部１７ａが上記の被押動部１６ｂを押し、第１駆動部材１６を時計方向へ回転させるようになっている。
【００４０】
また、第２駆動部材１７の取付け部１７ｃには、鉄片部材１９が取り付けられている。そして、この鉄片部材１９は、軸部１９ａと、鉄片部１９ｂと、頭部１９ｃからなっており、軸部１９ａは、取付け部１９ｃ内の孔に対して、軸方向へ移動可能であるとともに、若干傾き得るようにして取り付けられている。また、取付け部１５ｃ内には、図示していない圧縮ばねが配置されていて、鉄片部１９ｂを取付け部１９ｃ内から突き出すように付勢している。そして、周知のように鉄片部１９ｂは、図示していない先羽根用電磁石の鉄芯部材に接触し、吸着される部位である。
【００４１】
次に、後羽根の構成を説明する。後羽根は、二つのアーム２０，２１と、３枚の羽根２２，２３，２４とを有している。そこで先ず、二つのアーム２０，２１は、シャッタ地板１に立設されている上記の軸１ｊ，１ｋに対して、それらの一端を回転可能にして取り付けられている。また、３枚の羽根２２，２３，２４は、各々二つの連結軸部材を用いて、それらの一端側で、アーム２０，２１に対して枢支されている。そして、一方のアーム２０には、周知の長孔が形成されていて、その長孔に、上記の駆動ピン１６ａの先端部が嵌合している。
【００４２】
また、シャッタ地板１の軸１ｋには、セットばね２５が巻かれていて、その一端を、シャッタ地板１に設けられた図示していないばね掛け部に掛け、他端を、アーム２１の孔２１ａに掛けることによって、アーム２１を、ひいてはアーム２０及び第１駆動部材１６を、反時計方向へ回転するように付勢している。しかしながら、その付勢力は、第２駆動部材１７に掛けられている上記の駆動ばねの付勢力よりは小さい。
【００４３】
次に、本実施例の作動を説明する。既に述べたように、図３及び図４には、本実施例の先羽根系の構成だけが示されていて、後羽根系の構成は、図１及び図２に示されている構成を援用することにしている。そこで、作動を説明するに際しては、先羽根系と後羽根系の区別を明確にするために、図３及び図４に示されている第１駆動部材１６，第２駆動部材１７，図示されていない駆動ばねを、それぞれ先羽根用第１駆動部材１６，先羽根用第２駆動部材１７，先羽根用駆動ばねといい、図１及び図２に示されている第１駆動部材４，第２駆動部材５，図示されていない駆動ばねを、それぞれ後羽根用第１駆動部材４，後羽根用第２駆動部材５，後羽根用駆動ばねということにする。また、図示されていない電磁石も、先羽根用電磁石，後羽根用電磁石という。
【００４４】
尚、図３及び図４においても、セット部材が図示されていないが、本実施例のセット部材は、特許文献１，２にも記載されているような周知のセット部材であって、セット時に、初期位置から回転を開始して、実施例１の場合のように一方だけではなく、両方の第２駆動部材５，１７を、セット位置まで回転させるようになっている。
【００４５】
そこで先ず、図３に示されている撮影待機状態においては、カメラの電源スイッチはオンになっているが、開口部１ａは先羽根の３枚の羽根２２〜２４によって覆われており、後羽根の３枚の羽根１０〜１２は、図１に示されているように、開口部１ａの上方に格納されている。そのため、フィルムを用いるカメラの場合は勿論であるが、デジタルカメラの場合でも、撮影用の撮像素子には被写体光が当たっていないので、撮影対象である被写体（被写界）を観察する場合には、光学式のファインダで観察するか、専用の撮像素子を用いてモニターで観察することになる。
【００４６】
また、このとき、後羽根用第２駆動部材５は、図示していないセット部材によってローラー５ｂを押され、図示していない後羽根用駆動ばねの付勢力に抗して反時計方向へ回転させられており、鉄片部材７の鉄片部７ｂを、図示していない後羽根用電磁石の鉄芯部材に接触させているが、先羽根用第２駆動部材１７は、図示していない同じセット部材によって被押動部１７ｂを押され、図示していない先羽根用駆動ばねの付勢力に抗して反時計方向へ回転させられており、鉄片部材１９の鉄片部１９ｂを、図示していない先羽根用電磁石の鉄芯部材に接触させている。
【００４７】
更に、後羽根用第１駆動部材４は、後羽根を介して、セットばね１３の付勢力により反時計方向へ回転させられており、その被押動部４ｂを、後羽根用第２駆動部材５の押動部５ａに接触させているが、先羽根用第１駆動部材１６も、先羽根を介して、セットばね２５の付勢力により反時計方向へ回転させられており、その被押動部１６ｂを、先羽根用第２駆動部材１７の押動部１７ａに接触させている。
【００４８】
この状態において、レリーズボタンを押すと、先ず、図示していない二つの電磁石に通電されて、それまでそれぞれの鉄芯部材に接触していた鉄片部材７，１９が磁気的に吸着保持される。その後、図示していないセット部材は、セット時とは逆方向へ回転させられ、ローラー５ｂと被押動部１７ｂから離れて初期位置で停止する。そうすると、デジタルカメラの場合には、それまで撮像素子に蓄積されていた電荷が放出される。
【００４９】
その後、先ず、先羽根用電磁石に対する通電が断たれ、続いて、被写体光に対応した所定時間の経過後に、後羽根用電磁石に対する通電が断たれる。そのため、先羽根用第２駆動部材１７は、図示していない先羽根用駆動ばねの付勢力によって時計方向へ回転させられると共に、その押動部１７ａが被押動部１６ｂを押すことによって、先羽根用第１駆動部材１６を時計方向へ回転させるので、先羽根のアーム２０もセットばね２５の付勢力に抗して時計方向へ回転する。そのため、先羽根の３枚の羽根２２〜２４は、開口部１ａを覆っている状態から走行を開始し、相互の重なり量を大きくしながら開口部１ａを上方から下方へ向けて開いていく。
【００５０】
続いて、後羽根用電磁石に対する通電が断たれると、後羽根用第２駆動部材５は、図示していない後羽根用駆動ばねの付勢力によって時計方向へ回転させられると共に、その押動部５ａが被押動部４ｂを押すことによって、後羽根用第１駆動部材４を時計方向へ回転させるので、後羽根のアーム８もセットばね１３の付勢力に抗して時計方向へ回転する。そのため、後羽根の３枚の羽根１０〜１２は、格納状態から走行を開始し、相互の重なり量を小さくしながら開口部１ａを上方から下方へ向けて閉じていく。それによって、それ以後は、先羽根の羽根２４と後羽根の羽根１２との間に形成されたスリットによって、フィルム又は撮像素子が露光されていく。
【００５１】
そして、先羽根と後羽根による露光作動の終了段階になると、先羽根の３枚の羽根２２〜２４が開口部１ａの下方位置に完全に退いた直後に、先羽根用第２駆動部材１７の当接部１７ｄが緩衝部材１８に当接し、続いて、後羽根の３枚の羽根１０〜１２が開口部１ａを完全に閉じた直後に、後羽根用第２駆動部材５のローラー５ｂが緩衝部材６に当接する。
【００５２】
そこで先ず、先羽根用第２駆動部材１７の当接部１７ｄが緩衝部材１８に当接すると、その直後には、先羽根用第１駆動部材１６の駆動ピン１６ａが緩衝部材１５に当接するようになる。それにより、先羽根用第１駆動部材１６がバウンドしたときは、先にバウンドした先羽根用第２駆動部材１７が、図示していない先羽根用駆動ばねの強い付勢力によって再び緩衝部材１８に向けて作動しているときであるため、被押動部１６ｂが押動部１７ａに当接して直ちに時計方向へ戻され、駆動ピン１６ａを緩衝部材１５に押し付けられる。そのため、先羽根用第１駆動部材１６のバウンドは極めて小さくなり、それによって、先羽根が、一時的に開口部１ａの一部を閉じてしまうようなことがない。
【００５３】
また、続いて、後羽根用第２駆動部材５のローラー５ｂが緩衝部材６に当接すると、その直後には、後羽根用第１駆動部材４の駆動ピン４ａが緩衝部材３に当接するようになる。それにより、後羽根用第１駆動部材４がバウンドしたときは、先にバウンドした後羽根用第２駆動部材５が、図示していない後羽根用駆動ばねの強い付勢力によって再び緩衝部材６に向けて作動しているときであるため、被押動部４ｂが押動部５ａに当接して直ちに時計方向へ戻され、駆動ピン４ａを緩衝部材３に押し付けられる。そのため、後羽根用第１駆動部材４のバウンドは極めて小さくなり、それによって、後羽根が、一時的に開口部１ａの一部を開いてしまうようなことがない。
【００５４】
このようにして、先羽根は、図４に示された状態で静止され、後羽根は、図２に示された状態で静止される。そのため、デジタルカメラの場合には、この状態において、撮像素子に蓄積された電荷が撮像情報として転送され、記憶装置に記憶される。また、フィルムを用いるカメラの場合には、次に説明するセット作動に連動してフィルムが１コマ分だけ巻き上げられることになる。
【００５５】
このようにして撮影が終了すると、周知のように、図示していないセット部材が初期位置から回転させられ、セット作動が開始する。セット部材は、その回転によって、先ず、先羽根用第２駆動部材１６の被押動部１７ｂを押し、図示していない先羽根用駆動ばねの付勢力に抗して先羽根用第２駆動部材１６を反時計方向へ回転させていく。そのため、先羽根用第１駆動部材１６も、セットばね２５の付勢力によって、被押動部１６ｂが押動部１７ａに追従して反時計方向へ回転するので、先羽根の３枚の羽根２２〜２４は、相互の重なり量を小さくしながら開口部１ａの上方へ移動していく。
【００５６】
そして、先羽根の羽根２４と後羽根の羽根１２が所定量重なると、図示していないセット部材は、後羽根用第２駆動部材５の被押動部５ｂを押し始め、図示していない後羽根用駆動ばねの付勢力に抗して後羽根用第２駆動部材５を反時計方向へ回転させていくようになる。そのため、後羽根用第１駆動部材４も、セットばね１３の付勢力によって、被押動部４ｂが押動部５ａに追従し、反時計方向へ回転させられていくので、後羽根の３枚の羽根１０〜１２は、相互の重なり量を大きくしながら開口部１ａの上方へ移動していく。従って、このセット作動中において、開口部１ａが部分的に開いてしまうようなことがない。
【００５７】
このようにして、先羽根の３枚の羽根２２〜２４と後羽根の３枚の羽根１０〜１２が上方へ移動してゆき、先羽根の３枚の羽根２２〜２４によって開口部１ａが覆われ、後羽根の３枚の羽根１０〜１２が開口部１ａの上方位置に格納されると、鉄片部材１９，７の鉄片部１９ｂ，７ｂが、図示していない各々の電磁石の鉄芯部材に順に接触するようになって、図示していないセット部材の回転が停止する。図３は、そのようにして、セット作動が終了した状態、即ち次の撮影待機状態を示したものである。
【００５８】
尚、本実施例においては、先羽根系の場合も後羽根系の場合にも、第１駆動部材１６，４と第２駆動部材１７，５とを備えていて、第２駆動部材１７，５の当接部（後羽根系の場合にはローラーが兼用）１７ｄ，５ｂを緩衝部材１８，６に当接させた直後に第１駆動部材１６，４の駆動ピン１６ａ，４ａを緩衝部材１５,３に当接させるように構成されているが、本発明は、このように構成されていれば、その他のバウンド防止機構を備えなくてもよいというものではなく、必要に応じて、その他のバウンド防止機構を備えることを妨げるものではない。そして、このことは実施例１の場合も同じである。
【００５９】
また、本実施例においては、先羽根系の場合も後羽根系の場合にも、第１駆動部材１６，４と第２駆動部材１７，５とを備えていて、第２駆動部材１７，５の当接部（後羽根系の場合にはローラーが兼用）１７ｄ，５ｂを緩衝部材１８，６に当接させた直後に第１駆動部材１６，４の駆動ピン１６ａ，４ａを緩衝部材１５,３に当接させるように構成されているが、本発明は、このような構成に限定されず、先羽根系と後羽根系のいずれか一方は、従来のように、第１駆動部材と第２駆動部材とを一つの駆動部材で構成し、それに対応する、緩衝部材６，１８の一方を備えていないようにしても構わない。
【００６０】
更に、本実施例のフォーカルプレンシャッタは、二つのシャッタ羽根を備えたノーマリークローズ方式のフォーカルプレンシャッタであるが、本発明は、二つのシャッタ羽根を備えたノーマリーオープン方式のフォーカルプレンシャッタにも適用することが可能である。ノーマリーオープン方式のフォーカルプレンシャッタについては、詳しく説明するまでもないので、実施例として説明するのを省略しているが、特許文献２に記載されているのが、その方式のフォーカルプレンシャッタである。
【００６１】
即ち、特許文献２には、本実施例の先羽根用第１駆動部材１６，先羽根用第２駆動部材１７，セットばね２５に相当する、「先羽根用第１駆動部材１６」，「先羽根用第２駆動部材１７」，「セットばね３４」が記載されている。また、特に、本実施例の先羽根用第１駆動部材１６には、特許文献２における「先羽根用第１駆動部材１６」の「被抑止部１６ｂ」に相当する部位の形状を記載しておいた。従って、本実施例における、先羽根用第１駆動部材１６と図示していないセット部材との間に、特許文献２に記載の「抑止部材２８」を介在させれば、本実施例のフォーカルプレンシャッタは、ノーマリーオープン方式のフォーカルプレンシャッタになることになる。
【符号の説明】
【００６２】
１                              シャッタ地板
１ａ，２ａ，１４ａ              開口部
１ｂ，１ｇ                      長孔
１ｃ〜１ｆ，１ｈ〜１ｋ          軸
３，６，１５，１８              緩衝部材
４，１６                        第１駆動部材
４ａ，１６ａ                    駆動ピン
４ｂ、１６ｂ、１７ｂ            被押動部
５、１７                        第２駆動部材
５ａ，１７ａ                    押動部
５ｂ                            ローラー
５ｃ，１７ｃ                    取付け部
７，１９                        鉄片部材
７ａ，１９ａ                    軸部
７ｂ，１９ｂ                    鉄片部
７ｃ，１９ｃ                    頭部
８，９，２０，２１              アーム
９ａ，２１ａ                    孔
１０，１１，１２，２２，２３，２４  羽根
１３，２５                      セットばね
１４                            中間板
１７ｄ                          当接部
【図１】
0005793057.tif 000002
【図２】
0005793057.tif 000003
【図３】
0005793057.tif 000004
【図４】
0005793057.tif 000005